(57)【要約】【課題】部品を半田付けした後に機種を容易に設定することができる電子制御ユニットを提供する。【解決手段】複数の機種に対応可能なプログラムを記憶したＭＰＵ１と、導電性のネジが取り付けられることにより機種信号用の信号配線パターン２と電源配線パターン３とが短絡されるネジ穴４２と、前記ネジが取り付けられることにより信号配線パターン２とグラウンド配線パターン４とが短絡されるネジ穴４３とを備え、ＭＰＵ１は、前記ネジがネジ穴４２又はネジ穴４３のいずれかに取り付けられることにより信号配線パターン２に生じた電圧を機種信号として取り込むと共に、当該機種信号の電圧レベルに応じて前記所定の機種に対応するプログラムを実行する。【選択図】　図２
2004103300.tif 000002
【特許請求の範囲】
【請求項１】
複数の機種に対応可能なプログラムを有すると共にプリント配線基板を用いて構成される回路基板と、所定の機種を示す機種信号に対応したプログラムを実行する制御部とを備える電子制御ユニットにおいて、前記回路基板に設けられた穴により分断された少なくとも１本の機種信号用の配線パターンを備え、前記穴に挿入されて前記回路基板を他の部材に締結する締結部と前記分断された配線パターンを短絡する導電部とを有する締結部材の取付け状態に応じて前記機種信号が前記制御部に導かれることを特徴とする電子制御ユニット。
【請求項２】
前記回路基板を収納する筐体を有し、前記締結部材は、前記回路基板を筐体に締結するものであることを特徴とする請求項１記載の電子制御ユニット。
【請求項３】
前記回路基板は、前記穴として前記配線パターンを前記機種信号を伝達する信号配線パターンと前記回路基板の電源配線パターンとに分断するプルアップ用取付け穴と、前記配線パターンを、前記機種信号を伝達する信号配線パターンと前記回路基板のグラウンド配線パターンとに分断するプルダウン用取付け穴とを備えることを特徴とする請求項１又は２に記載の電子制御ユニット。
【請求項４】
前記回路基板は、前記穴として前記配線パターンを前記機種信号を前記制御部に導く信号配線パターンと前記回路基板のグラウンド配線パターンとに分断するプルダウン用取付け穴と、前記信号配線パターンを前記回路基板の電源配線パターンに接続するプルアップ用抵抗とを備えることを特徴とする請求項１又は２に記載の電子制御ユニット。
【請求項５】
前記回路基板は、前記穴として前記配線パターンを前記機種信号を前記制御部に導く信号配線パターンと前記回路基板の電源配線パターンとに分断するプルアップ用取付け穴と、前記信号配線パターンを前記回路基板のグラウンド配線パターンに接続するプルダウン用抵抗とを備えることを特徴とする請求項１又は２に記載の電子制御ユニット。
【発明の詳細な説明】
【０００１】
【発明の属する技術分野】
本発明は、複数の機種を同一の回路基板で構成することができる電子制御ユニットに関するものである。
【０００２】
【従来の技術】
従来、複数の機種が存在する電子制御ユニットを製造する場合に、複数の機種に対応可能なプリント配線基板を用いて、機種毎に実行するソフトウェアを切り換えることにより複数機種に対応させるようにしている。これにより、部品が共通化され、製造ラインの段取り変えが容易になる結果、部品のコストダウンや生産性の向上を図り、あるいは多品種少量生産を容易に実現することが可能になっている。このように、ソフトウェアの切換えで複数の機種に対応させる場合、プリント配線基板上に予め各機種に対応したプログラムを記憶したＲＯＭ（Ｒｅａｄ　Ｏｎｌｙ　Ｍｅｍｏｌｙ）等の記憶素子と、ＭＰＵ（Ｍｉｃｒｏ　Ｐｒｏｃｅｓｓｉｎｇ　Ｕｎｉｔ）と、機種を設定するための回路とを備えた回路基板を製造し、設定された機種に対応したプログラムをＭＰＵが実行することで、機種切換えが行われる。
【０００３】
このような回路基板に機種を設定するための構造としては、図８に示すように、回路基板のプリント配線基板上に、ＭＰＵ１のポート１ａに接続される機種信号用の信号配線パターン２、電源に接続される電源パターン３、グラウンドに接続されるグラウンドパターン４、信号配線パターン２と電源パターン３との間にプルアップ用抵抗を実装するためのプルアップ抵抗用ランド１０１及び信号配線パターン２とグラウンドパターン４との間にプルダウン用抵抗を実装するためのプルダウン抵抗用ランド１０２を備え、例えば、機種Ａの回路基板を製造する場合には、プルアップ抵抗用ランド１０１にのみ抵抗を実装し、機種Ｂの回路基板を製造する場合には、プルダウン抵抗用ランド１０２にのみ抵抗を実装する方法が用いられている。
【０００４】
これにより、プルアップ抵抗用ランド１０１にのみ抵抗を実装した回路基板では電源に接続することによりＭＰＵ１のポート１ａにＨｉレベルの機種信号が入力され、プルダウン抵抗用ランド１０２にのみ抵抗を実装した回路基板ではＭＰＵ１のポート１ａにＬｏｗレベルの機種信号が入力されるので、ＭＰＵ１はポート１ａに入力された機種信号のレベルに応じて、それぞれ機種Ａ、機種Ｂに対応するプログラムを実行し、機種設定用抵抗の実装状態以外を共通化した回路基板を用いて機種を切り換えることが可能になっている。
【０００５】
【発明が解決しようとする課題】
しかし、図８に示す従来の機種設定パターンの場合、抵抗の実装の有無によって機種を設定するため、プリント配線基板に抵抗を実装する半田付け工程で回路基板毎に機種が決定されてしまい、半田付け工程の後に機種を変更することが困難となる。そのため、顧客からの発注数量等に応じて柔軟に機種の切換えを行うことができないという不都合がある。
【０００６】
また、機種に応じてプリント配線基板に抵抗を実装する部品実装工程で部品実装機の制御データを変更する等、機種毎に回路基板の製造工程を管理する必要がある。また、回路基板毎に機種が決定されるので、回路基板単位で機種毎の在庫管理をする必要がある。そのため、回路基板の製造時及び回路基板の在庫管理時に、機種管理を行うための管理コストが必要になるという不都合がある。
【０００７】
本発明は上記事情に鑑みてなされたもので、回路基板に部品を半田付けした後から機種を容易に設定することができる電子制御ユニットを提供することを目的とする。
【０００８】
【課題を解決するための手段】
請求項１に記載の発明は、複数の機種に対応可能なプログラムを有すると共にプリント配線基板を用いて構成される回路基板と、所定の機種を示す機種信号に対応したプログラムを実行する制御部とを備える電子制御ユニットにおいて、前記回路基板に設けられた穴により分断された少なくとも１本の機種信号用の配線パターンを備え、前記穴に挿入されて前記回路基板を他の部材に締結する締結部と前記分断された配線パターンを短絡する導電部とを有する締結部材の取付け状態に応じて前記機種信号が前記制御部に導かれることを特徴としている。
【０００９】
請求項１に記載の発明によれば、複数の機種に対応可能なプログラムを有する回路基板がプリント配線基板を用いて構成され、前記回路基板を他の部材に締結する締結部と前記分断された配線パターンを短絡する導電部とを有する締結部材が、前記回路基板に設けられた穴に、挿入されて取り付けられることによる配線パターンの短絡の有無に従って、前記機種信号が前記制御部に導かれ、前記機種信号に応じて所定の機種に対応するプログラムが前記制御部によって実行され、所定の機種設定が行われる。この場合、前記回路基板に設けられた前記穴に前記締結部材が取り付けられることにより、所定の機種設定が行われる。
【００１０】
請求項２に記載の発明は、請求項１記載の電子制御ユニットにおいて、前記回路基板を収納する筐体を有し、前記締結部材は、前記回路基板を筐体に締結するものであることを特徴としている。請求項２に記載の発明によれば、前記回路基板は、前記締結部材によって前記回路基板を収納する筐体に締結される。
【００１１】
請求項３に記載の発明は、請求項１又は２に記載の電子制御ユニットにおいて、前記回路基板は、前記穴として、前記配線パターンを、前記機種信号を伝達する信号配線パターンと前記回路基板の電源配線パターンとに分断するプルアップ用取付け穴と、前記配線パターンを、前記機種信号を伝達する信号配線パターンと前記回路基板のグラウンド配線パターンとに分断するプルダウン用取付け穴とを備えることを特徴としている。請求項３に記載の発明によれば、前記プルアップ用取付け穴に前記締結部材が取り付けられることにより前記信号配線パターンと前記回路基板の電源配線パターンとが短絡され、前記プルダウン用取付け穴に前記締結部材が取り付けられることにより前記信号配線パターンと前記回路基板のグラウンド配線パターンとが短絡され、前記信号配線パターンに生じた電圧が前記機種信号として前記制御部に導かれる。この場合、前記プルアップ用取付け穴に前記締結部材が取り付けられることによりＨｉレベルの電圧が前記機種信号として前記制御部に導かれ、前記プルダウン用取付け穴に前記締結部材が取り付けられることによりＬｏｗレベルの電圧が前記機種信号として制御部に導かれる。
【００１２】
請求項４に記載の発明は、請求項１又は２に記載の電子制御ユニットにおいて前記回路基板は、前記穴として前記配線パターンを前記機種信号を前記制御部に導く信号配線パターンと前記回路基板のグラウンド配線パターンとに分断するプルダウン用取付け穴と、前記信号配線パターンを前記回路基板の電源配線パターンに接続するプルアップ用抵抗とを備えることを特徴としている。請求項４に記載の発明によれば、前記プルアップ用抵抗を介して前記信号配線パターンと前記回路基板の電源配線パターンとが接続され、前記プルダウン用取付け穴に前記締結部材が取り付けられた場合に前記信号配線パターンと前記回路基板のグラウンド配線パターンとが短絡され、前記信号配線パターンに生じた電圧が前記機種信号として前記制御部に導かれる。この場合、前記プルダウン用取付け穴に前記締結部材が取り付けられることによりＬｏｗレベルの電圧が前記機種信号として前記制御部に導かれ、前記プルダウン用取付け穴に前記締結部材が取り付けられない場合にはＨｉレベルの電圧が前記機種信号として前記制御部に導かれる。
【００１３】
請求項５に記載の発明は、請求項１又は２に記載の電子制御ユニットにおいて、前記回路基板は、前記穴として前記配線パターンを前記機種信号を前記制御部に導く信号配線パターンと前記回路基板の電源配線パターンとに分断するプルアップ用取付け穴と、前記信号配線パターンを前記回路基板のグラウンド配線パターンに接続するプルダウン用抵抗とを備えることを特徴としている。請求項５に記載の発明によれば、前記プルダウン用抵抗を介して前記信号配線パターンと前記回路基板のグラウンド配線パターンとが接続され、前記プルアップ用取付け穴に前記締結部材が取り付けられた場合に前記信号配線パターンと前記回路基板の電源配線パターンとが短絡され、前記信号配線パターンに生じた電圧が前記機種信号として前記制御部に導かれる。この場合、前記プルアップ用取付け穴に前記締結部材が取り付けられることによりＨｉレベルの電圧が前記機種信号として前記制御部に導かれ、前記プルアップ用取付け穴に前記締結部材が取り付けられない場合にはＬｏｗレベルの電圧が前記機種信号として前記制御部に導かれる。
【００１４】
【発明の実施の形態】
以下、本発明に係る実施形態を図面に基づいて説明する。なお、各図において同一の構成については、同一の符号を付し、その説明を省略する。
【００１５】
（第１実施形態の構成）
図１は、本発明の第１の実施形態に係る電子制御ユニットの構造の一例を示す分解斜視図である。図１の電子制御ユニットは、例えば車載機器の制御を行う車載用電子制御ユニットであり、例えばパワーウィンド及びキーレスエントリー等の車載機器の制御を行う機種Ａと、室内灯及びキー忘れ警報ブザー等の車載機器の制御を行う機種Ｂとに切換え可能に構成され、ジャンクションブロック（電気接続箱）に格納されて車両に搭載される。
【００１６】
ジャンクションブロックは、アッパーケース２０とロアケース１０との間に積層バスバー３０等の配線材が収納された構造である。その上に、電子制御ユニットを構成する回路基板４０が搭載され、さらに回路基板４０上にはケース部５０が搭載される。回路基板４０にはネジ穴４２とネジ穴４３とが設けられ、アッパーケース２０には、ネジ６０を取り付けるためのネジ穴を有するボス２１とボス２２とを備える。
【００１７】
また、例えば、電子制御ユニットの機種を機種Ａに設定する場合には、アッパーケース２０の上に搭載された回路基板４０は、ネジ穴４２を貫通してボス２１にねじ込んで締め付けられるネジ６０によって、アッパーケース２０に取り付けられる。一方、電子制御ユニットの機種を機種Ｂに設定する場合には、アッパーケース２０の上に搭載された回路基板４０は、ネジ穴４３を貫通してボス２２にねじ込んで締め付けられるネジ６０によって、アッパーケース２０に取り付けられる。なお、ネジ６０としては、圧入により回路基板４０とアッパーケース２０とを締結する導電性のビス等を用いてもよい。
【００１８】
そして、回路基板４０と積層バスバー３０との接続のために、電子制御ユニットに必要な信号用の接続端子としての雄型端子（タブ端子）３１が積層バスバー３０上に起立しており、それらが回路基板４０を貫通してその表面に搭載されたコネクタ４１に挿入されることにより、回路基板４０と積層バスバー３０との間での導通がとられている。また、積層バスバー３０は、回路基板４０からコネクタ４１とタブ端子３１とを介して得られた制御信号を、車載用機器の制御信号ケーブルに接続するためのコネクタ端子３２を備える。
【００１９】
図２は、回路基板４０の配線パターン及び部品の実装状態の一例を説明するための図である。図２に示す回路基板４０は、ＭＰＵ１、信号配線パターン２、電源パターン３、グラウンドパターン４、プルアップネジ用ランド５、プルダウンネジ用ランド６、ネジ穴４２、ネジ穴４３及び抵抗７を備える。
【００２０】
ＭＰＵ１としては、例えばＲＯＭ、ＲＡＭ（Ｒａｎｄｏｍ　Ａｃｃｅｓｓ　Ｍｅｍｏｒｙ）、及び信号入出力ポートを素子内部に内蔵したシングルチップマイクロコンピュータが用いられる。ＭＰＵ１に内蔵されたＲＯＭには、機種Ａとして動作するためのプログラムＡ、機種Ｂとして動作するためのプログラムＢ、及びプログラムＡとプログラムＢを切り換える機種切換えプログラムが記憶される。
【００２１】
ＭＰＵ１は、機種信号入力用のポート１ａと、前記車載機器を制御するための信号出力用ポート１ｂとを備える。ポート１ａは、ノイズ対策用抵抗７を介して信号配線パターン２に接続され、信号配線パターン２に生じた電圧を機種信号として取り込む。なお、ポート１ａは、抵抗７を介さず直接信号配線パターン２に接続される構成であってもよい。ポート１ｂは、コネクタ４１、タブ端子３１、積層バスバー３０及びコネクタ端子３２等を介して前記車載機器に接続され、ＭＰＵ１から前記車載機器の動作を制御するための信号を出力する。
【００２２】
ネジ穴４２は、信号配線パターン２と電源パターン３との間に設けられたネジ取り付け用の穴であり、ネジ穴４３は、信号配線パターン２とグラウンドパターン４との間に設けられたネジ取り付け用の穴である。
【００２３】
プルアップネジ用ランド５は、電源パターン３と接続された電源ランド５ａ及び信号配線パターン２と接続された信号ランド５ｂを有する。電源ランド５ａと信号ランド５ｂとは、互いにネジ穴４２を挟んで相対向する位置に所定の絶縁距離を隔てて設けられている。
【００２４】
プルダウンネジ用ランド６は、グラウンドパターン４と接続されたグラウンドランド６ａ及び信号配線パターン２と接続された信号ランド６ｂを有する。グラウンドランド６ａと信号ランド６ｂとは、互いにネジ穴４３を挟んで相対向する位置に所定の絶縁距離を隔てて設けられている。
【００２５】
なお、プルアップネジ用ランド５及びプルダウンネジ用ランド６は、それぞれネジ穴４２及びネジ穴４３にネジ６０が取り付けられた場合にネジ６０と接触して短絡するものであればよく、例えばネジ穴４２及びネジ穴４３の周辺部で、分断された信号配線パターン２、電源パターン３及びグラウンドパターン４の表面が絶縁されずに導体が露出しているもの等、特定の形状である必要はない。
【００２６】
図３は、図２に示す回路基板４０がアッパーケース２０に取り付けられると共に、導電性のネジ６０が取り付けられた状態を示す断面図（断面Ｘ−Ｘ）である。回路基板４０の基材部８の上側表面には、信号配線パターン２、電源パターン３、グラウンドパターン４、プルアップネジ用ランド５及びプルダウンネジ用ランド６が設けられ、信号配線パターン２、電源パターン３及びグラウンドパターン４の表面にはレジスト（絶縁被覆）１５が設けられている。また、基材部８に穿たれたネジ穴４２を挟んで電源ランド５ａと信号ランド５ｂとが分離され、基材部８に穿たれたネジ穴４３を挟んでグラウンドランド６ａと信号ランド６ｂとが分離されている。
【００２７】
アッパーケース２０は、ネジ６０を取り付けるためのネジ穴を有するボス２１とボス２２とを備える。ネジ６０は、ネジ穴４２に取り付けられ、ネジ穴４２を貫通してボス２１にねじ込んで締め付けられている。プルアップネジ用ランド５すなわち電源ランド５ａ及び信号ランド５ｂの表面には、レジスト９が設けられずに導体が露出した状態にされているので、電源ランド５ａと信号ランド５ｂとの間はネジ６０を介して導通する。
【００２８】
プルダウンネジ用ランド６すなわちグラウンドランド６ａ及び信号ランド６ｂの表面には、レジスト９が設けられずに導体が露出した状態にされている。ネジ穴４３には、ネジ６０が取り付けられず、グラウンドランド６ａと信号ランド６ｂとの間は導通しない状態に保たれている。
【００２９】
なお、ネジ６０がネジ穴４３に取り付けられる場合には、ネジ穴４３を貫通してボス２２にねじ込んで締め付けられ、グラウンドランド６ａと信号ランド６ｂとの間はネジ６０を介して導通する。また、電源ランド５ａ、信号ランド５ｂ、グラウンドランド６ａ及び信号ランド６ｂの表面は、半田メッキ、金メッキ等の加工がされていてもよく、直接パターンの導体が露出するものでなくてもよい。
【００３０】
図４は、図２に示す回路基板４０のネジ穴４２にネジ６０を取り付け、ネジ穴４３にネジ６０を取り付けない場合の回路図である。この場合、ネジ６０によって電源ランド５ａと信号ランド５ｂとが短絡されるので、ポート１ａが抵抗７とネジ６０とを介して電源と接続され、ポート１ａにはＨｉレベルの信号が機種信号として入力される。一方、図２に示す回路基板４０のネジ穴４３にネジ６０を取り付け、ネジ穴４２にネジ６０を取り付けない場合は、ネジ６０によってグラウンドランド６ａと信号ランド６ｂとが短絡されるので、ポート１ａが抵抗７とネジ６０とを介してグラウンドと接続され、ポート１ａにはＬｏｗレベルの信号が、機種信号として入力される。
【００３１】
（第１実施形態の動作）
図５は、本発明の第１の実施形態に係る電子制御ユニットの動作を示すフローチャートである。
【００３２】
まず、ＭＰＵ１により、ポート１ａに取り込まれた識別信号の電圧レベルが確認され（ステップＳ１）、識別信号がＨｉレベルであった場合（ステップＳ２）にはプログラムＡが実行され（ステップＳ３）、他方識別信号がＬｏｗレベルであった場合（ステップＳ２）にはプログラムＢが実行される（ステップＳ４）。
【００３３】
以上、ステップＳ１〜Ｓ４の動作により、ネジ穴４２にネジ６０が取り付けられ、ネジ穴４３にネジ６０が取り付けられない場合には、ポート１ａにＨｉレベルの信号が機種信号として取り込まれてＭＰＵ１によりプログラムＡが実行される結果、電子制御ユニットの機種は機種Ａに設定される。一方、ネジ穴４３にネジ６０が取り付けられ、ネジ穴４２にネジ６０が取り付けられない場合には、ポート１ａにＬｏｗレベルの信号が機種信号として取り込まれてＭＰＵ１によりプログラムＢが実行される結果、電子制御ユニットの機種は機種Ｂに設定される。
【００３４】
これにより、ネジ６０を、ネジ穴４２又はネジ穴４３のいずれに取り付けるかによって、電子制御ユニットの機種を機種Ａ又は機種Ｂに設定することが可能となり、部品を半田付けした後に機種を容易に設定することができる。また、回路基板４０をアッパーケース２０に取り付けるための取り付けネジとして、ネジ６０を用いることができるので、機種の設定のために専用のネジを取り付ける必要がない。
【００３５】
なお、ネジ６０を、回路基板４０をアッパーケース２０に取り付けるための取り付けネジとして用いる例を示したが、例えば回路基板４０に各種金具、コネクタ等の部品を取り付けるための取り付けネジとして、ネジ６０を用いてもよい。また、ネジ６０は、機種を設定するために専用に用いられるものであってもよい。また、機種Ａ、機種Ｂに対応してそれぞれプログラムＡ、プログラムＢがＭＰＵ１により実行される例を示したが、複数の機種に対応可能な単一のプログラムがＭＰＵ１により実行され、機種信号に応じて各機種に応じた動作をおこなう構成であってもよい。
【００３６】
また、１つの機種信号がＨｉレベルであるかＬｏｗレベルであるかによって、２種類の機種が設定される構成を示したが、複数の機種信号を用いて各機種信号毎にネジ穴４２又はネジ穴４３へのネジの取り付けによって、各機種信号の信号レベルを設定可能にし、ＭＰＵ１は、各機種信号を取り込んで各機種信号の組み合わせによって機種を判別し、当該判別した３種類以上の機種を設定可能な構成としてもよい。
【００３７】
（第２実施形態の構成）
図６は、本発明の第２の実施形態に係る回路基板４０の回路図である。第２実施形態に係る回路基板４０は、図２において、ネジ穴４２が設けられず、プルアップネジ用ランド５の替りにプルアップ抵抗４４が設けられる点で、第１実施形態と異なる。
【００３８】
図６の回路図は、ネジ穴４３にネジ６０を取り付けない場合を示す回路図で、ポート１ａが抵抗７とプルアップ抵抗４４とを介して電源と接続され、ポート１ａにはＨｉレベルの信号が機種信号として入力される。一方、ネジ穴４３にネジ６０を取り付けた場合は、ネジ６０によってグラウンドランド６ａと信号ランド６ｂとが短絡されるので、ポート１ａが抵抗７とネジ６０とを介してグラウンドと接続され、ポート１ａにはＬｏｗレベルの信号が、機種信号として入力される。
【００３９】
（第２実施形態の動作）
第２実施形態では、図５のフローチャートにおいて、ステップＳ１〜Ｓ４の動作により、ネジ穴４３にネジ６０が取り付けられない場合には、ポート１ａにＨｉレベルの信号が機種信号として取り込まれてＭＰＵ１によりプログラムＡが実行される結果、電子制御ユニットの機種は機種Ａに設定される。一方、ネジ穴４３にネジ６０が取り付けられた場合には、ポート１ａにＬｏｗレベルの信号が機種信号として取り込まれてＭＰＵ１によりプログラムＢが実行される結果、電子制御ユニットの機種は機種Ｂに設定される。
【００４０】
これにより、ネジ６０を、ネジ穴４３に取り付けるか否かによって、電子制御ユニットの機種を機種Ｂ又は機種Ａに設定することが可能となり、部品を半田付けした後に機種を容易に設定することができる。
【００４１】
（第３実施形態の構成）
図７は、本発明の第３の実施形態に係る電子制御ユニットの回路図である。第３実施形態は、図２において、ネジ穴４３が設けられず、プルダウンネジ用ランド６の替りにプルダウン抵抗４５が設けられる点で、第１実施形態と異なる。
【００４２】
図７の回路図は、ネジ穴４２にネジ６０を取り付けない場合を示す回路図で、ポート１ａが抵抗７とプルダウン抵抗４５とを介してグラウンドと接続され、ポート１ａにはＬｏｗレベルの信号が機種信号として入力される。一方、ネジ穴４２にネジ６０を取り付けた場合は、ネジ６０によって電源ランド５ａと信号ランド５ｂとが短絡されるので、ポート１ａが抵抗７とネジ６０とを介して電源と接続され、ポート１ａにはＬｏｗレベルの信号が、機種信号として入力される。
【００４３】
（第３実施形態の動作）
第３実施形態では、図５のフローチャートにおいて、ステップＳ１〜Ｓ４の動作により、ネジ穴４２にネジ６０が取り付けられない場合には、ポート１ａにＬｏｗレベルの信号が機種信号として取り込まれてＭＰＵ１によりプログラムＢが実行される結果、電子制御ユニットの機種は機種Ｂに設定される。一方、ネジ穴４２にネジ６０が取り付けられた場合には、ポート１ａにＨｉレベルの信号が機種信号として取り込まれてＭＰＵ１によりプログラムＡが実行される結果、電子制御ユニットの機種は機種Ａに設定される。
【００４４】
これにより、ネジ６０を、ネジ穴４２に取り付けるか否かによって、電子制御ユニットの機種を機種Ａ又は機種Ｂに設定することが可能となり、部品を半田付けした後に機種を容易に設定することができる。
【００４５】
【発明の効果】
請求項１に記載の発明によれば、前記回路基板に前記締結部材が取り付けられることにより所定の機種設定が行われるので、部品を半田付けした後に機種を容易に設定することができる。
【００４６】
請求項２に記載の発明によれば、前記回路基板を筐体に締結する前記締結部材を用いて、機種を設定することができる。
【００４７】
請求項３に記載の発明によれば、前記プルアップ用取付け穴に前記締結部材が取り付けられることによりＨｉレベルの電圧が前記機種信号として出力され、前記プルダウン用取付け穴に前記締結部材が取り付けられることによりＬｏｗレベルの電圧が前記機種信号として前記制御部に導かれるので、部品を半田付けした後に機種を容易に設定することができる。
【００４８】
請求項４に記載の発明によれば、前記プルダウン用取付け穴に前記締結部材が取り付けられることによりＬｏｗレベルの電圧が前記機種信号として前記制御部に導かれ、前記プルダウン用取付け穴に前記締結部材が取り付けられない場合にはＨｉレベルの電圧が前記機種信号として前記制御部に導かれるので、部品を半田付けした後に機種を容易に設定することができる。
【００４９】
請求項５に記載の発明によれば、前記プルアップ用取付け穴に前記締結部材が取り付けられることによりＨｉレベルの電圧が前記機種信号として前記制御部に導かれ、前記前記プルアップ用取付け穴に前記締結部材が取り付けられない場合にはＬｏｗレベルの電圧が前記機種信号として前記制御部に導かれるので、部品を半田付けした後に機種を容易に設定することができる。
【図面の簡単な説明】
【図１】本発明の第１の実施形態に係る電子制御ユニットの構造を示す図である。
【図２】本発明の第１の実施形態に係る回路基板の配線パターン及び部品の実装状態を説明するための図である。
【図３】本発明の第１の実施形態に係る回路基板がアッパーケースにネジで取り付けられた状態を示す断面図である。
【図４】本発明の第１の実施形態に係る回路基板の回路図である。
【図５】本発明の第１の実施形態に係る電子制御ユニットの動作を説明するフローチャートである。
【図６】本発明の第２の実施形態に係る回路基板の回路図である。
【図７】本発明の第３の実施形態に係る回路基板の回路図である。
【図８】従来例による回路基板の配線パターン及び部品の実装状態を説明するための図である。
【符号の説明】
１　　　　　　ＭＰＵ（制御部）
１ａ，１ｂ　　　　　　ポート
２　　　　　　信号配線パターン
３　　　　　　電源パターン（電源配線パターン）
４　　　　　　グラウンドパターン（グラウンド配線パターン）
５　　　　　　プルアップネジ用ランド
５ａ　　　　電源ランド
５ｂ　　　　信号ランド
６　　　　　　プルダウンネジ用ランド
６ａ　　　　グラウンドランド
６ｂ　　　　信号ランド
７　　　　　　抵抗
８　　　　　　基材部
９　　　　　　レジスト
１０　　　　ロアケース
２０　　　　アッパーケース（筐体）
２１，２２　　　　　　ボス
３１　　　　タブ端子
３２　　　　コネクタ端子
４０　　　　回路基板
４１　　　　コネクタ
４２　　　　ネジ穴（プルアップ用取付け穴）
４３　　　　ネジ穴（プルダウン用取付け穴）
４４　　　　プルアップ抵抗（プルアップ用抵抗）
４５　　　　プルダウン抵抗（プルダウン用抵抗）
５０　　　　ケース部
６０　　　　ネジ（締結部材）
１０１　　プルアップ抵抗用ランド
１０２　　プルダウン抵抗用ランド
【図１】
2004103300.tif 000003
【図２】
2004103300.tif 000004
【図３】
2004103300.tif 000005
【図４】
2004103300.tif 000006
【図５】
2004103300.tif 000007
【図６】
2004103300.tif 000008
【図７】
2004103300.tif 000009
【図８】
2004103300.tif 000010